(57)【特許請求の範囲】
【請求項１】
複数種類の符号化が可能な符号化手段と、
記録対象の各情報の符号化方法を示す符号化方法テーブルを格納するメモリと、
該メモリから読み出された前記符号化方法テーブルに基づいて前記符号化手段に対して記録対象の情報の符号化方法を指示する制御手段と、
前記符号化手段で符号化されたディジタル情報を記録媒体に記録する記録手段とを備え、
前記記録手段では、前記符号化方法テーブルを前記記録媒体の所定の記録領域に記録し、各情報ごとに予め定めた符号化方法で符号化された複数のディジタル情報を前記記録媒体に記録し、
情報記録装置は、記録対象の各情報の記録中に符号化方法を指定された符号化方法に変更する旨の指示がなされた場合、記録中の情報の記録を指定された符号化方法でやり直すとともに、前記符号化方法テーブル中のその情報の符号化方法を前記指定された符号化方法に書き換えて、記録対象の情報の記録を続行することを特徴とする情報記録装置。
【請求項２】
複数種類の符号化が可能な符号化ステップと、
記録対象の各情報の符号化方法を示す符号化方法テーブルを格納する記憶ステップと、
前記符号化ステップにおける符号化方法を前記格納された符号化方法テーブルに基づいて指示する制御ステップと、
前記符号化ステップで符号化されたディジタル情報を記録媒体に記録する記録ステップとからなり、
前記記録ステップでは、前記符号化方法テーブルを前記記録媒体の所定の記録領域に記録し、各情報ごとに予め定めた符号化方法で符号化された複数のディジタル情報を前記記録媒体に記録し、
情報記録方法はさらに、記録対象の各情報の記録中に符号化方法を指定された符号化方法に変更する旨の指示がなされた場合、記録中の情報の記録を指定された符号化方法でやり直すとともに、前記符号化方法テーブル中のその情報の符号化方法を前記指定された符号化方法に書き換えて、記録対象の情報の記録を続行するステップを具備することを特徴とする情報記録方法。
【請求項３】
記録媒体に記録された情報を再生する再生手段と、
複数種類の符号化が可能な符号化手段と、
前記再生手段で再生されて記録対象とされる各情報の符号化方法を示す符号化方法テーブルを格納するメモリと、
該メモリから読み出された前記符号化方法テーブルに基づいて前記符号化手段に対して記録対象の情報の符号化方法を指示する制御手段と、
前記符号化手段で符号化されたディジタル情報を記録媒体に記録する記録手段とを備え、
前記記録手段では、前記符号化方法テーブルを前記記録媒体の所定の記録領域に記録し、各情報ごとに予め定めた符号化方法で符号化された複数のディジタル情報を前記記録媒体に記録し、
情報ダビング装置は、記録対象の各情報の記録中に符号化方法を指定された符号化方法に変更する旨の指示がなされた場合、記録中の情報の記録を指定された符号化方法でやり直すとともに、前記符号化方法テーブル中のその情報の符号化方法を前記指定された符号化方法に書き換えて、記録対象の情報の記録を続行することを特徴とする情報ダビング装置。
【請求項４】
請求項３記載の情報ダビング装置において、前記再生手段は複数種類の記録媒体を再生可能な再生手段であって、記録対象の複数の情報のうち、符号化方法の指定がない情報の符号化方法を、当該情報が再生された記録媒体の種類に応じて定めることを特徴とする情報ダビング装置。
【発明の詳細な説明】
【０００１】
【発明の属する技術分野】
本発明は、符号化された情報信号を記録する情報記録装置及び情報ダビング装置に関し、特に、複数種類の符号化が可能な符号化手段を備えた情報記録装置及び情報ダビング装置に関する。
【０００２】
【従来の技術】
情報信号のディジタル化が進展するのに伴ない、符号化による様々なデータ圧縮技術が開発されている。そして符号化されたディジタル情報は、様々な記録媒体に記録されたり、様々な放送メディアで放送されたりしている。
一方、符号化におけるデータ量の圧縮率は、符号化により生成されるディジタル情報のデータ量や、その再生画像の画質や、再生オーディオの音質に大きな影響を及ぼす。即ち、符号化における圧縮率を高くすると、一般的にデータ量は減少するが、復号信号の歪や解像度が劣化すると言う傾向がある。このため、極力少ない符号量で極力良質の復号信号を得べく、様々な符号化方式が提案され、実用化されている。
【０００３】
また、符号化されたディジタル情報を記録した記録媒体が販売される場合には、当該記録媒体に複数の情報が記録されている場合に、通常は全て同一の符号化方式により符号化されているのが一般的である。これに対し、操作者が記録可能な記録媒体に記録する場合においては、操作者が要求する再生信号の品質や、情報信号の信号源（ソース）の品質に応じて、符号化方式を記録対象の各情報ごとに設定したいと言う要求がある。そして、この要求に応えるべく、同一の記録媒体に対して、夫々異なる圧縮率や、異なる符号化方式で符号化された複数の情報信号を記録できるように、複数種類の符号化が可能な符号化手段を備えた記録装置が開発されている。
【０００４】
【発明が解決しようとする課題】
しかしながら、前記した従来の記録装置では、操作者が一つの記録媒体に複数の情報を記録する場合に、記録対象の各情報に対して別々の符号化方法を設定しようとすると、直前に符号化及び記録した情報の符号化方法とは異なる符号化方法に設定しようとするときに、情報の符号化や、該符号化されたディジタル情報を記録する記録手段における記録動作を中断して、手動操作により符号化方法を指定する必要があった。
【０００５】
同様にして従来のダビング装置では、再生手段によって記録媒体から再生される複数の情報を夫々別々の符号化方法で符号化し、該符号化されたディジタル情報を記録手段によって記録媒体に記録しようとすると、直前に符号化及び記録した情報の符号化方法とは異なる符号化方法に設定しようとするときに、再生手段における再生や、前記再生手段で再生された情報の符号化や、該符号化されたディジタル情報を記録する記録手段における記録動作を中断して、手動操作により符号化方法を指定する必要があった。
したがって従来の記録装置やダビング装置では、記録の途中で符号化方法を変更可能にして記録対象の複数の情報を符号化し記録することが、手動操作なしでは不可能であった。
【０００６】
本発明は前記問題点に鑑みてなされたものであり、その目的は、途中で符号化方法を変更することが可能にして複数の情報を符号化し記録媒体に記録する場合に、記録対象の複数の情報の符号化と記録を手動操作なしに連続的に行える情報記録装置及び情報記録方法並びに情報ダビング装置を提供することである。
【０００７】
【説題を解決するための手段】
本発明は上記目的を達成するために次のような構成でなされたものである。
第１の発明は、複数種類の符号化が可能な符号化手段と、記録対象の各情報の符号化方法を示す符号化方法テーブルを格納するメモリと、該メモリから読み出された前記符号化方法テーブルに基づいて前記符号化手段に対して記録対象の情報の符号化方法を指示する制御手段と、前記符号化手段で符号化されたディジタル情報を記録媒体に記録する記録手段とを備え、前記記録手段では、前記符号化方法テーブルを前記記録媒体の所定の記録領域に記録し、各情報ごとに予め定めた符号化方法で符号化された複数のディジタル情報を前記記録媒体に記録するようにした情報記録装置である。
【０００８】
第１の発明によれば、記録対象の複数の全情報に対して予め各情報ごとの符号化方法を設定し、その後、各情報ごとに設定された符号化方法に基づいて記録対象の各情報を符号化して記録媒体に記録するから、記録対象の各情報ごとに符号化方法を設定し得るとしながら、記録を開始してから全ての記録対象情報の記録が終了するまで、手動操作による符号化方法の設定を必要とせずに、連続的に符号化と記録をすることが出来る。
また、前記記録手段で、前記符号化方法テーブルを前記記録媒体の所定の記録領域、例えばディスク状記録媒体の最内周部等に記録することにより、該記録した記録媒体を再生するときに、各情報ごとの符号化方法を容易に読み出すことが出来る。
【０００９】
第２の発明は、第１の発明の情報記録装置において、記録対象の複数の情報のうち、符号化方法の指定がない情報の符号化方法を、符号化方法の指定がある全情報を記録した後に残ると推定される記録媒体の記録可能容量に応じて定めるようにした情報記録装置である。
【００１０】
第２の発明によれば、記録対象の或る情報に対して特定の符号化方法が指定されていない場合や"自動（Auto）"が指定されている場合には、符号化方法の指定がされている情報を記録した後に残る記録可能容量が前記制御手段によって推定され、記録媒体の記録可能容量が大であるときには、低圧縮率の符号化方法を前記符号化方法が特定されていない情報に対して自動的に設定し、記録媒体の記録可能容量が小であるときには、高圧縮率の符号化方法を自動的に設定する。これにより、出来るだけ高品質の再生信号が得られるような符号化方法を指定することが出来る。
【００１１】
第３の発明は、複数種類の符号化が可能な符号化ステップと、記録対象の各情報の符号化方法を示す符号化方法テーブルを格納する記憶ステップと、前記符号化ステップにおける符号化方法を前記格納された符号化方法テーブルに基づいて指示する制御ステップと、前記符号化ステップで符号化されたディジタル情報を記録媒体に記録する記録ステップとからなり、前記記録ステップでは、前記符号化方法テーブルを前記記録媒体の所定の記録領域に記録し、各情報ごとに予め定めた符号化方法で符号化された複数のディジタル情報を前記記録媒体に記録するようにした情報記録方法である。
【００１２】
第４の発明は、第３の発明の情報記録方法において、記録対象の複数の情報のうち、符号化方法の指定がない情報の符号化方法を、符号化方法の指定がある全情報を記録した後に残ると推定される記録媒体の記録可能容量に応じて定めるようにした情報記録方法である。
【００１３】
第５の発明は、記録媒体に記録された情報を再生する再生手段と、複数種類の符号化が可能な符号化手段と、前記再生手段で再生されて記録対象とされる各情報の符号化方法を示す符号化方法テーブルを格納するメモリと、該メモリから読み出された前記符号化方法テーブルに基づいて前記符号化手段に対して記録対象の情報の符号化方法を指示する制御手段と、前記符号化手段で符号化されたディジタル情報を記録媒体に記録する記録手段とを備え、前記記録手段では、前記符号化方法テーブルを前記記録媒体の所定の記録領域に記録し、各情報ごとに予め定めた符号化方法で符号化された複数のディジタル情報を前記記録媒体に記録するようにした情報ダビング装置である。
【００１４】
第５の発明によれば、次のような効果を奏する。即ち、記録対象の複数の全情報に対して予め各情報ごとの符号化方法を設定し、その後、各情報ごとに設定された符号化方法に基づいて記録対象の各情報を符号化して記録媒体に記録するから、記録対象の各情報ごとに符号化方法を設定し得るとしながら、記録を開始してから全ての記録対象情報の記録が終了するまで、手動操作による符号化方法の設定を必要とせずに、連続的にダビングを行うことが出来る。
また、前記記録手段で、前記符号化方法テーブルを前記記録媒体の所定の記録領域、例えばディスク状記録媒体の最内周部等に記録することにより、該ダビングした記録媒体を再生するときに、各情報ごとの符号化方法を容易に読み出すことが出来る。
【００１５】
第６の発明は、第５の発明の情報ダビング装置において、前記再生手段は複数種類の記録媒体を再生可能な再生手段であって、記録対象の複数の情報のうち、符号化方法の指定がなかった情報の符号化方法を、当該情報が再生された記録媒体の種類に応じて定めるようにした情報ダビング装置である。
【００１６】
第６の発明によれば、例えば、ＬＰレコードに記録されていた情報であれば、一般的に低品質の再生信号であるから高圧縮率の符号化方法を割り当て、コンパクトディスクに記録されていた情報であれば、一般的に高品質の再生信号であるから、低圧縮率の符号化方法を割り当てる。これにより、操作者により特定の符号化方法が指定されない情報に対して、必要且つ十分な圧縮率を有する符号化方法を割り当てることが出来、記録媒体の未使用記録容量を少なくすることが出来る。
【００１７】
第７の発明は、第５の発明の情報ダビング装置において、前記再生手段は複数種類の記録媒体を再生可能な再生手段であって、記録対象の複数の情報のうち、符号化方法の指定がない情報の符号化方法を、当該情報が再生された記録媒体の種類と、符号化方法の指定がある全情報を記録した後に残ると推定される記録媒体の記録可能容量とに応じて定めるようにした情報ダビング装置である。
【００１８】
第７の発明によれば、次のような効果を奏する。即ち、情報となる信号の品質（信号品質）と記録媒体の記録可能容量とに応じて符号化方法を設定することにより、記録媒体の未使用記録容量を少なくし、且つ、符号化方法が指定されなかった情報に対して、情報源の信号品質に応じて、最適な符号化方法を指定することが出来る。
【００１９】
【発明の実施の形態】
本発明の情報記録装置は、記録対象の各情報の夫々の符号化方法を操作者が予め設定して符号化方法テーブルとしてメモリに格納しておき、前記メモリから各情報の符号化方法を読み出して符号化し、該符号化済みのディジタル情報を記録媒体に記録する。記録時には、前記符号化方法テーブルを前記記録媒体の所定の記録領域に記録する。このようにして、記録対象の複数の情報を、符号化方法を変更しながらも、符号化或いは記録の途中での手動操作を必要とせずに連続的に記録媒体に記録するようにした情報記録装置である。
【００２０】
以下、本発明の実施の形態について図面を参照して説明する。
図１は本発明情報記録装置の実施例を示すブロック図である。図１に示す情報記録装置１０において、外部の情報再生手段、例えばＣＤ再生装置９からＡ／Ｄ変換器１１に記録対象の情報が入力される。Ａ／Ｄ変換器１１は入力された情報がアナログ信号である場合にはディジタル信号に変換し、入力された情報がディスク信号である場合にはそのままメモリＡ１３に与える。メモリＡ１３はＡ／Ｄ変換器１１から与えられたディジタル情報を格納し、制御手段２１からの読み出し指示に基づいて、格納したディジタル情報を読み出して符号化手段１５に与える。制御手段２１は情報記録装置１０全体を制御するシステム制御用のＭＰＵなどで構成される。
【００２１】
前記制御手段２１はメモリＣ２３を備え、記録対象の各情報の符号化方法が操作者によって予め指定されて、符号化方法テーブルとしてメモリＣ２３に格納されている。制御手段２１はメモリＣ２３から前記符号化方法テーブルを読み出して、符号化手段１５に与え、符号化手段１５は当該情報の符号化方法として操作者が指定した符号化方法で符号化を行い、メモリＢ１７に出力する。
メモリＢ１７は符号化されたディジタル情報を一時的に記憶するバッファメモリである。該ディジタル情報はＭＤ記録手段１９からのデータ要求に応じて、制御手段２１を介してメモリＢ１７から読み出され、ＭＤ記録手段１９で記録媒体に記録される。
【００２２】
制御手段２１には操作手段２５と表示手段２７とが接続され、表示手段２７には前記符号化方法テーブルの内容が表示される。また、制御手段２１は、記録対象の全情報が記録媒体に記録された後の記録容量の残量を推定し、表示手段２７に表示する。操作者が各情報に対して符号化方法を設定する場合は、操作手段２５を介して行う。
ＭＤ記録手段１９は記録媒体としてミニディスク（以下、ＭＤとも記す）を装着し、記録対象の各符号化済み情報を前記ミニディスク（ＭＤ）に書き込んだ後に、所定の記録領域、例えば最内周部の記録領域に前記符号化方法の情報を含む曲管理テーブル（ＵＴＯＣ）を書き込む。
【００２３】
図５は本発明におけ符号化方法テーブルの一例を示す図である。同図において、
ｎは操作者が記録対象の情報を選択した順を示し、ＳＴ（ｎ）はｎ番目に選択された情報が記録されている再生側記録媒体における楽曲順などを示すトラック番号を示す。この例は、記録側記録媒体における最小記録可能トラックが５の場合の例であり、ｎが１では、ＣＤの第３トラックを再生し、その情報をＡＴＲＡＣの規格で規定される符号化方法で符号化し、符号化済みディジタル情報をＭＤのトラック５に記録する。同様に、ｎが２では、ＣＤの第６トラックを再生し、その情報をＡＴＲＡＣ３＋ＬＰ２の規格で規定される符号化方法で符号化し、符号化済みディジタル情報をＭＤのトラック６に記録する。ｎが４では、操作者が特定の符号化方法を指定せず"Auto"を選択した場合又は指定をしなかった場合であり、ＣＤの第２トラックを再生し、その情報を符号化して、符号化済みディジタル情報をＭＤのトラック８に記録する。ＳＴ（２）の情報の符号化方法については後述するが、記録対象の情報が全て選択された後で、ＳＴ（２）の情報に対していずれかの符号化方法が自動的に割り当てられる。
【００２４】
ＭＤ記録手段１９で記録されたＭＤを再生する場合には、ＭＤの前記所定の記録領域に記録されている曲管理テーブル（ＵＴＯＣ）を読み出し、ＭＤ再生手段で読み出された各情報に対応付けされている符号化方法を前記ＵＴＯＣから読み出して、該読み出した符号化方法に適した復号方法を選択して復号する。
なお、図１に示す実施例では、情報源はＣＤ再生手段９から出力される音学情報であり、ＣＤ再生手段９は制御端子を介して制御手段２１と接続され、その再生動作が制御手段２１により制御される。情報記録装置１０で記録する記録対象の情報は、その各情報ごとにＣＤ再生手段９から読み出し、符号化して記録媒体に記録しても良いが、予め記録対象の全ての情報をメモリＡ１３に格納しておいて、各情報ごとの符号化方法を設定し、その後、各情報をメモリＡ１３から読み出し、符号化し、記録媒体に記録するようにしても、記録対象の全情報を記録途中に手動操作によって符号化方法を設定することなく、全ての情報を連続的に記録することが可能である。
【００２５】
以下、本発明情報記録装置における各処理手順について、図と共に説明する。図２は本発明記録装置における符号化方法設定処理手順を示すフローチャートであり、操作者が、ＣＤ再生手段９に装着されているＣＤに記録されて楽曲をいくつか選択して、符号化方法を各楽曲ごとに設定してＭＤ記録手段１９に装着されているＭＤに記録する場合の例を示す。なお、図２において、ＳＴ（ｎ）は、記録対象の情報としてｎ番目に選択された情報が記録されている記録媒体上のトラック番号を示し、具体的には図１に示すＣＤ再生手段９で再生されるコンパクトディスク（以下、ＣＤとも記す）のトラック番号を示す。
【００２６】
図２において、ステップＳ１１では、符号化方法を設定するための初期化が行われ、ｎを１としてステップＳ１３へ進む。ステップＳ１３では、符号化方法設定開始の指示が操作手段２５から入力されたか？、と問われ、ＹｅｓであればステップＳ１５へ進み、Ｎｏであればこの符号化方法設定処理を終了する。ステップＳ１５では、操作者が、再生トラック番号（ＴＮＯ）ｉを選択し、ステップＳ１７へ進む。ステップＳ１７では、選択された再生トラック番号ｉが実際にＣＤ再生手段９に装着されているＣＤ上に存在するか？、と問われ、ＹｅｓであればステップＳ１９へ進み、ＮｏであればステップＳ２５へ進む。ステップＳ１９では、ＳＴ（ｎ）＝ｉとおき、再生トラックｉの楽曲に対して符号化方法を設定し、ステップＳ２１へ進む。ステップＳ２１では、ＴＮＯ  ｉと指定又は選択された符号化方法を対応付けして、メモリＣ２３に格納されている符号化方法テーブルに書き込み、ステップＳ２３へ進む。
【００２７】
ステップＳ２３では、ｎの値を１だけインクリメントしてステップＳ２５へ進む。ステップＳ２５では、符号化方法設定終了の指示が操作手段２５から入力されたか？、と問われ、ＹｅｓであればステップＳ２７へ進み、ＮｏであればステップＳ１５へ戻る。ステップＳ２７では、符号化方法が指定された全情報の記録が終了した時の記録媒体の記録容量残を制御手段２１で推定し、符号化方法が指定されなかった情報があれば前記容量残に基づいて符号化方法を割り当て、メモリＣ２３に追記し、符号化方法設定処理を終了する。
【００２８】
図３は本発明記録装置における記録処理手順を示すフローチャートであり、記録対象の各情報を符号化し、ＭＤ記録手段１９でＭＤに記録する処理のフローチャートである。
図３において、ステップＳ３１では、操作者から記録開始の指示があったか？、と問われ、ＹｅｓであればステップＳ３３へ進み、Ｎｏであればこの記録処理を終了する。ステップＳ３３では、メモリＣ２３から符号化方法テーブルを読み出し、記録側のトラック番号（ＲＴＮＯ）ｊをＭＤの記録可能な最小トラック番号に設定し、選択順ｎを１にして、ステップＳ３５へ進む。ステップＳ３５では、符号化手段１５における符号化方法を、ＳＴ（ｎ）に対して設定された符号化方法に設定し、ステップＳ３７へ進む。
【００２９】
ステップＳ３７では、ｎ番目に選択された情報（楽曲）に相当する、ＣＤのトラック番号ＳＴ（ｎ）を再生し、指定された方法で符号化して記録側トラック番号（ＲＴＮＯ）に記録し、ステップＳ３９へ進む。ステップＳ３９では、操作手段２５により記録停止の支持があったか？、と問われ、Ｙｅｓであれば本記録処理を終了し、ＮｏであればステップＳ４１へ進む。ステップＳ４１では、再生側におけるトラック番号ＳＴ（ｎ）の再生と、記録側トラックＲＴＮＯ  ｊの記録を終了したか？、と問われ、ＹｅｓであればステップＳ４３へ進み、ＮｏであればステップＳ３９へ戻る。ステップＳ４３では、ＵＴＯＣの情報を更新し、記録側トラック番号ＲＴＮＯ  ｊの値及び選択順を示すｎの値を１だけインクリメントし、ステップＳ４５へ進む。ステップＳ４５では、符号化方法テーブルに記載された記録対象情報のうち、未記録の情報があるか？、と問われ、ＹｅｓであればステップＳ３５へ戻り、Ｎｏであれば、この記録処理を終了する。
【００３０】
図４は本発明記録装置における符号化方法変更処理手順を示すフローチャートであり、記録対象の全情報の記録が終了する前に、操作者が符号化方法の変更を指示した場合の処理手順を示す。ここでは、再生側トラック番号ＳＴ（ｎ）に記録されている情報を記録側媒体のトラック番号（ＲＴＮＯ）ｊに記録中に、操作者が符号化方法の変更を指示したものとして説明する。
図４において、ステップＳ５１では、符号化方法変更の指示があったか？、と問われ、ＹｅｓであればステップＳ５３へ進み、Ｎｏであればこの符号化方法変更処理を終了する。ステップＳ５３では、再生側トラック番号ＳＴ（ｎ）の再生と記録側媒体のトラック番号（ＲＴＮＯ）ｊへの記録とを停止し、ステップＳ５５へ進む。
【００３１】
ステップＳ５５では、記録側のトラック番号（ＲＴＮＯ）ｊを削除し、ステップＳ５７へ進む。ステップＳ５７では、再生側トラック番号ＳＴ（ｎ）の情報に対し、新たな符号化方法を指定し、ステップＳ５９へ進む。ステップＳ５９では、メモリＣ２３に格納されている符号化方法テーブルを前記した新たな指定に基づいて更新し、ステップＳ６１へ進む。ステップＳ６１では、再生側におけるトラック番号ＳＴ（ｎ）をそのトラックの最初から再生し、変更後の符号化方法で符号化して、該符号化されたディジタル情報を記録側におけるトラック番号（ＲＴＮＯ）ｊに記録して、ステップＳ６３へ進む。ステップＳ６３では、既に記録媒体に記録されているＵＴＯＣにおける符号化方法テーブルを前記した新たな指定に基づいて更新し、この符号化方法変更処理を終了する。
【００３２】
次に、本発明の情報ダビング装置について図６を用いて説明する。
図６は本発明情報ダビング装置の一実施例を示すブロック図である。図１に示す情報記録装置１０と、図６に示す情報ダビング装置２０の主たる相違点は、図６の情報ダビング装置２０では、再生装置５とソースセレクタ７が設けられている点である。即ち、情報ダビング装置２０では再生手段Ａ、再生手段Ｂ、再生手段Ｃからなる再生装置５を備えて、そのいずれかの出力がソースセレクタ７で選択され、Ａ／Ｄ変換器１１に与えられる。
前記各再生手段は、例えば、ＣＤ再生手段や、ＭＤ再生手段や、ＤＶＤ再生手段であり、情報源としては画像情報及びオーディオ情報である。
【００３３】
情報記録装置１０の動作と情報ダビング装置２０の動作上の主な相違点は、信号源となる記録媒体を再生する一つの再生手段が複数種類の再生手段から選択される点と、再生装置５の再生制御と、ソースセレクタ７の制御が制御手段２１ｂにより行われる点である。
したがって、符号化方法テーブルには、図５に示した項目の他に、どの再生手段を再生するかを示す項目を追加する。また、図２を用いて説明した符号化方法設定処理において、特定の符号化方法が指定又は設定されなかった情報がある場合には、その情報の符号化方法を、どの再生手段で再生される情報であるか或いは再生される記録媒体の種類に基づいて設定する。例えば、ＬＰレコードの再生手段で再生する情報であれば、一般的に低品質の再生情報であるから高圧縮率の符号化方法を割り当て、ＣＤの再生手段で再生する情報であれば、一般的に高品質の再生情報であるから、低圧縮率の符号化方法を割り当てる。また、符号化方法が指定されている全情報の記録が終了した時の記録媒体の記録容量残を制御手段２１ｂで推定し、符号化方法が指定又は設定されなかった情報に対して、前記容量残をも加味して符号化方法を割り当てるようにしても良い。
【００３４】
以上詳述したように、本発明の情報記録装置、情報記録方法、情報ダビング装置によれば、記録対象の複数の全情報に対して予め各情報ごとの符号化方法を設定し、その後、各情報ごとに設定された符号化方法に基づいて記録対象の各情報を符号化して記録するから、記録を開始してから全ての記録対象情報の記録が終了するまで、手動操作による符号化方法の設定を必要とせずに、連続的に符号化と記録を行うことが出来る。
【図面の簡単な説明】
【図１】本発明情報記録装置の一実施例を示すブロック図である。
【図２】本発明記録装置における符号化方法設定処理手順を示すフローチャートである。
【図３】本発明記録装置における記録処理手順を示すフローチャートである。
【図４】本発明記録装置における符号化方法変更処理手順を示すフローチャートである。
【図５】本発明記録装置におけ符号化方法テーブルの一例を示す図である。
【図６】本発明情報ダビング装置の一実施例を示すブロック図である。
【符号の説明】
５    再生装置
７    ソースセレクタ
９    ＣＤ再生手段
１１    Ａ／Ｄ変換器
１１    ＣＤ再生手段
１３、１７、２３    メモリ
１５    符号化手段
１９    ＭＤ記録手段（記録手段）
２１    制御手段
２５    操作手段
２７    表示手段
【図１】
0003798609.tif 000002
【図２】
0003798609.tif 000003
【図３】
0003798609.tif 000004
【図４】
0003798609.tif 000005
【図５】
0003798609.tif 000006
【図６】
0003798609.tif 000007